(57)【要約】      （修正有）【課題】腰を曲げなくても地面に落ちたボールを自動で集めることができる、卓球ボール自動拾い装置を提供する。【解決手段】ボール送り装置とボール収集装置２０とからなる。前記ボール送り装置によって、地面に落ちた卓球ボールをボール収集装置に移動させ、ボール収集装置によって、ボール送り装置から送られてきた卓球ボールを一つ一つ指定の位置に送る。その内、前記ボール送り装置は、風力を利用して、地面の卓球ボールを押し、前記ボール収集装置は、風力を利用して卓球ボールを吸収して収集籠２３内に送り、ボールが取りやすくなる。それにより、使用者は、腰を曲げないでも地面に落ちた卓球ボールを拾うことができ、ボールを拾う苦労と時間をなくし、腰やひざに怪我をするリスクを減らすことができる。【選択図】図１
0003168985.tif 000002
【実用新案登録請求の範囲】
【請求項１】
ボール送り装置と、ボール収集装置と、からなる卓球ボール自動拾い装置であって、
前記ボール送り装置は、風力を発生させるための、第一風力発生装置と、第二風力発生装置と、第三風力発生装置と、第四風力発生装置とを備え、
前記第一風力発生装置には、第一風出力口が設けられるとともに、風力は前記第一風出力口から地面に送られ、
前記第二風力発生装置には、第二風出力口が設けられるとともに、風力は前記第二風出力口から地面に送られ、
前記第三風力発生装置には、第三風出力口が設けられるとともに、風力は前記第三風出力口から地面に送られ、
前記第四風力発生装置には、第四風出力口が設けられるとともに、風力は前記第四風出力口から地面に送られ、
前記第一風力発生装置、前記第二風力発生装置、前記第三風力発生装置、及び前記第四風力発生装置は、取り囲むように配列されて領域を形成し、
前記第一風出力口、前記第二風出力口、前記第三風出力口、及び前記第四風出力口は、前記領域を向き、
前記ボール収集装置は、前記領域内に配置されるとともに、パイプと、第五風力発生装置と、収集籠とを備え、
前記パイプの内径は卓球ボールの球径より大きく、前記パイプには入口が設けられ、前記入口は地面に近接し、前記入口の口径は卓球ボールより大きく、
前記第五風力発生装置には第五風出力口が設けられ、
前記第五風出力口は前記パイプの一端に連結され、
それにより前記第五風力発生装置から発生する風力は前記パイプに進入し、
前記収集籠は、前記パイプの他端と連結されることを特徴とする、卓球ボール自動拾い装置。
【請求項２】
前記卓球ボール自動拾い装置は、制御装置を更に備え、前記制御装置は、前記第一風力発生装置、前記第二風力発生装置、前記第三風力発生装置、前記第四風力発生装置、及び前記第五風力発生装置に電気的に接続され、
前記制御装置は、センサーに電気的に接続され、
前記第一風力発生装置、前記第二風力発生装置、前記第三風力発生装置、及び前記第四風力発生装置の周囲には、周囲網と複数のアクティブ柱が設けられ、前記周囲網は、前記アクティブ柱に連結されるとともに、前記周囲網の下方には板体が連結されることを特徴とする、請求項１に記載の卓球ボール自動拾い装置。
【請求項３】
前記第一風力発生装置は、更に第一回転システムを備え、前記第二風力発生装置は、更に第二回転システムを備え、前記第三風力発生装置は、更に第三回転システムを備え、前記第四風力発生装置は、更に第四回転システムを備え、
前記第一風力発生装置、前記第二風力発生装置、前記第三風力発生装置、及び前記第四風力発生装置は横流ファンであり、
前記回転システムは、複数のブレードと、連結バーと、連動バーと、円板と、駆動装置とを備え、
前記各ブレードは前記風出力口に枢設され、
前記連結バーは、各ブレードに貫通し、
前記連動バーの一端は前記連結バーに枢設され、
前記円板と前記連動バーの他端は枢設され、
前記駆動装置は、前記円板を回転させるために、前記円板に連結されることを特徴とする、請求項１に記載の卓球ボール自動拾い装置。
【考案の詳細な説明】
【技術分野】
【０００１】
本考案は卓球ボール自動拾い装置に関し、特に卓球のコートに取り付けられ、地面に落ちたボールを自動で集めることができる装置に関する。
【背景技術】
【０００２】
卓球は、若者から老人まで手軽に楽しむことができる運動であり、テーブルテニスとも呼ばれている。卓球は、両者が卓球テーブルの上で順番にボールを打ちあい、相手がボールを打ち返せなかったり、ボールを打ち返すのを失敗したりすると点数が得られる競技或いはレジャーである。
【０００３】
卓球を行っているときに、ボールが地面に落ちた場合、腰を曲げたり、かがんだりしてボールを拾わなければならないが、ボールを拾う回数が多くなると、膝や足に負担がかかったり、腰や背中を痛めてしまったり、疲れてしまったりする。ひどい場合は、腰やひざなどを捻って怪我をしてしまい、卓球を続けたくなくなってしまう。また、年齢が高めの年長者にとっては、ボールを拾う行為は大変で、怪我をしやすくなる。また、卓球のボールは体積が小さく、卓球テーブルの下に転がってしまいやすく、拾いづらくなり、試合であれ練習であれ、三分の一の時間は、ボール拾いに費やされることになる。
【０００４】
特に、練習の際は、使用するボールの数が非常に多くなるため、一旦、ボールが色々な場所へ転がってしまうと、拾って集めるのに体力と時間が非常にかかる。もし、ボール拾いの人を雇うとしたらコストもかかるし、ボールを拾わなければ、ボールを踏んでつぶしてしまったり、ボールにつまずいて転んでしまったりする危険がある。
【０００５】
現在、市場には、掃除機の原理を利用した卓球ボール／バトミントンの羽を収集する機器がある。それは、主に、台座、導風装置、可撓性パイプと、圧力調整器とからなる。まず、可撓性パイプを導風装置の風出力口端部に連結することにより、風力によって、地面の卓球ボール或いはバトミントンの羽を集める。さらに、可撓性パイプを風吸引口端部に連結させることにより、吸引力によって、集めた後の卓球ボールやバトミントンの羽を台座の收集箱内に吸いこむ。以上により、卓球ボールやバトミントンの羽を収集することができる。しかしながら、この器具は自動装置ではないため、人が操作を行う必要があり、その際腰を曲げる必要がある。従って、使用者が怪我をしやすく、しかも、収集した後、使用者は収集機器から収集箱を自分で取り出さなければならず、その際にも腰を曲げるため、不便である。
【考案の概要】
【考案が解決しようとする課題】
【０００６】
そこで、本考案は、腰を曲げなくても地面に落ちたボールを自動で集めることができる、卓球ボール自動拾い装置を提供することを目的とする。
【課題を解決するための手段】
【０００７】
本考案の卓球ボール自動拾い装置は、ボール送り装置と、ボール収集装置とによって構成する。前記ボール送り装置によって、地面に落ちた卓球ボールをボール収集装置に移動させ、さらに、ボール収集装置によって、前記入口に集まった卓球ボールは、吸入され、指定の位置に送られる。それによって、使用者はすぐにボールを取ることができる。その内、前記ボール送り装置は、風力を発生させるための第一風力発生装置と、第二風力発生装置と、第三風力発生装置と、及び第四風力発生装置とを備える。また、各風力発生装置から生じる風力は、いずれも地面に近く、卓球ボールを転がして移動させることができる。また、前記第一風力発生装置と、前記第二風力発生装置と、前記第三風力発生装置と、前記第四風力発生装置はコートの四隅に配置され、取り囲むように配列される。前記ボール収集装置は、前記第一風力発生装置と、前記第二風力発生装置と、前記第三風力発生装置と、前記第四風力発生装置とが取り囲む領域内に配置される。前記ボール収集装置は、パイプと、第五風力発生装置と、収集籠とを備える。その内、前記パイプの内径は卓球ボール直径より大きく、前記パイプにおける地面に近接する位置には、入口が設けられ、前記入口は卓球ボールの直径より大きい。前記第五風力発生装置は第五風出力口を備え、前記第五風出力口は前記パイプの一端に連結され、それにより、前記第五風力発生装置から作られる風力は前記パイプに進入する。前記収集籠は、前記パイプの他端と連結され、収集籠まで送られたボールを収集する。
【０００８】
本考案は、各隅に設けられた風力発生装置により、地面の卓球ボールを前記パイプの入口へ送り、さらに、前記第五風力発生装置から生じた風力により、パイプの入口周辺に転がった卓球ボールをパイプ末端の前記収集籠に送る。それにより、使用者は腰を曲げて拾う必要がなくなり、ボールを拾う苦労と不快感から解放されるとともに、ボールを拾う時間を節約でき、さらには、プレイヤーが怪我をするリスクを下げることができ、しいては、使用の利便性が向上し、プレイの楽しみが増す。
【０００９】
また、本考案には、制御装置が設けられ、各隅の風力発生装置と第五風力発生装置のオンとオフ、或いは、風力の大きさを制御することができ、使用者の操作が便利になる。また、前記制御装置にはセンサーが設けられ、検知することで、自動制御を行うことができ、利便性が増す。
【００１０】
また、前記各隅の風力発生装置にはそれぞれ斜板が設けられ、それにより卓球ボールが、隅の風力発生装置の風が届く位置に落ちるようになる。
【図面の簡単な説明】
【００１１】
【図１】本考案の実施例を示した俯瞰図である。
【図２】本考案の実施例のボール送り装置の位置を示した俯瞰図である。
【図３】本考案の実施例の第一風力発生装置を示した斜視図である。
【図４】本考案の実施例のボール収集装置を示した斜視図である。
【図５】本考案の実施例のボール収集装置の一部を拡大した斜視図である。
【図６】本考案の実施例の制御装置を示した斜視図である。
【図７】本考案の実施例に周囲網を連結させた状態を示した俯瞰図である。
【図８】本考案の実施例の周囲網の一部を示した斜視図である。
【図９】本考案の実施例の別の風力発生装置を示した斜視図である。
【図１０】本考案の実施例の別の風力発生装置に斜板と遮断板を連結させた状態を示した斜視図である。
【図１１】本考案の実施例の別の風力発生装置をボール送り装置にした時の配置位置を示した俯瞰図である。
【考案を実施するための形態】
【００１２】
図１から図５に示すように、本考案の実施例による卓球ボール自動拾い装置は、ボール送り装置１０と、ボール収集装置２０とによってなる。ボール送り装置１０によって、地面に落ちたボールＰをボール収集装置２０のそばまで集め、さらに、ボール収集装置２０によって、各ボールＰを指定の位置に集め、使用者がボールを取りやすくする。それにより、従来の技術では拾うのが不便だった欠点を克服することができる。
【００１３】
ボール送り装置１０は、第一風力発生装置１１と、第二風力発生装置１２と、第三風力発生装置１３と、第四風力発生装置１４とからなる。この四つの風力発生装置は、いずれも、風力を発生させることができる。本実施例においては、説明がしやすいように、同じ風力発生装置を採用するが、それに限定されるものではない。その内、図３に示すように、第一風力発生装置１１には第一風出力口１１１が設けられ、第二風力発生装置１２には第二風出力口が設けられ、第三風力発生装置１３には第三風出力口が設けられ、第四風力発生装置１４には第四風出力口が設けられる（第一風力発生装置１１、第二風力発生装置１２、第三風力発生装置１３、及び第四風力発生装置１４は、本実施例では同じであるため、第二風出力口、第三風出力口、及び第四風出力口の記載はここでは省略する）。そして、第一風力発生装置１１から生じた風力は、第一風出力口１１１から地面に向かって送られ、第二風力発生装置１２から生じた風力は、第二風出力口から地面に向かって送られ、第三風力発生装置１３から生じた風力は、第三風出力口から地面に向かって送られ、第四風力発生装置１４から生じた風力は、第四風出力口から地面に向かって送られる。
【００１４】
図１から図３に示すように、第一風力発生装置１１、第二風力発生装置１２、第三風力発生装置１３、及び第四風力発生装置１４は、取り囲むように配列されて領域Ｚを形成し、第一風出力口１１１、第二風出力口、第三風出力口、及び第四風出力口は領域Ｚに向いている。また、領域Ｚ内には、卓球テーブル、或いは、練習用の関連器具を置くことができる。また、第一風力発生装置１１、第二風力発生装置１２、第三風力発生装置１３、及び第四風力発生装置１４には、それぞれ回転システム１１２が設けられ、回転システム１１２によって第一風出力口１１１、第二風出力口、第三風出力口、及び第四風出力口が回転する。それにより出力された風力は、領域Ｚ全体に及ぶ。風力発生装置に連結される回転システム１１２の形式はいくつもあり、従来の技術でよく用いられる（例えば、扇風機、タワーファン等）ため、本明細書では記載を省略するものとする。
【００１５】
図４と図５に示すように、ボール収集装置２０は領域Ｚ内に置かれる。ボール収集装置２０はパイプ２１と、第五風力発生装置２２と、収集籠２３とによってなる。その内、パイプ２１の内径はボールＰの球径より大きく、パイプ２１には入口２１１が設けられ、入口２１１は地面に近接し、入口２１１の口径は、ボールより大きい。第五風力発生装置２２には第五風出力口２２１が設けられ、第五風出力口２２１はパイプ２１の一端に接続され、第五風力発生装置２２で作られた風力をパイプ２１に進入させる。収集籠２３は、パイプ２１の他端と連結され、パイプ２１から運ばれてきたボールＰを収集する。
【００１６】
本実施例のボールの収集方法を説明する。図１に示すように、ボールＰが地面に落ちた後、ボールＰは、第一風力発生装置１１或いは第二風力発生装置１２或いは第三風力発生装置１３或いは第四風力発生装置１４の風力を受けて入口２１１に移動し、ボールが入口２１１に近づいた時、第五風力発生装置２２から発生した吸引風力によってパイプ２１内に進入し、さらに、送風風力によってボールはパイプ２１の他端に送られ、收集された各ボールＰは収集籠２３内に集まる。その内、入口２１１の周囲は、第五風力発生装置２２から発生したパイプ中心高圧噴射風力によって吸引效果が生じ、ボールＰが入口２１１付近まで吸いつけられた時、負圧風力の吸引によって入口２１１に進入するという、二つの導き作用がある。
【００１７】
収集籠２３は、使用者のニーズ及び実際の使用状態に応じて、適切な位置に置かれる。その内、本実施例の図においては、収集籠２３は、卓球テーブルにおける使用者に近い位置の下方辺縁に連結され、それにより、使用者はいつでもボールを取り出すことができる。
【００１８】
また、第一風力発生装置１１、第二風力発生装置１２、第三風力発生装置１３、第四風力発生装置１４、及び第五風力発生装置２２は、送風機、横流ファン、扇風機などの、風力を発生させられるあらゆる器具にすることができる。
【００１９】
また、本考案には、さらに、制御装置３０を設けることができる。制御装置３０は、第一風力発生装置１１、第二風力発生装置１２、第三風力発生装置１３、第四風力発生装置１４、及び第五風力発生装置２２に電気的に接続され、風力発生装置の作動を制御することができる。制御装置３０内には、関連する制御ソフト、例えば、オンにする順番を設定するソフト、或いはタイマー装置などが設けられ、使用者が操作するのに便利である。また、本考案は、さらに、センサーに電気的に接続することができる。センサーは適切な位置に配置され、ボールＰの位置を確認した後、信号を制御装置３０に伝える。制御装置３０によって、第五風力発生装置２２をオンにするかどうか、或いは、ボールに近い風力発生装置をオンにするかどうか決定する。それにより、より効率的な全自動制御を行うことができる。また、センサーの種類は多く複雑であるが、従来の技術に属するため、ここでは図示しないものとする。しかしながら、位置を感知や検知できるセンサーは、いずれも本考案でいうセンサーである。
【００２０】
図３に示すように、第一風力発生装置１１、第二風力発生装置１２、第三風力発生装置１３、第四風力発生装置１４の外には、それぞれ斜板４０が設けられる。斜板４０によって、第一風力発生装置１１、第二風力発生装置１２、第三風力発生装置１３、第四風力発生装置１４の発生装置の風が届かない箇所にボールが落ちるのを防ぐことができる。
【００２１】
また、図７と図８に示すように、本考案の実施例は、さらに、周囲網５０と複数のアクティブ柱５１を備える。周囲網５０はアクティブ柱５１に連結され、周囲網５０は第一風力発生装置１１、第二風力発生装置１２、第三風力発生装置１３、第四風力発生装置１４を取り囲み、それにより、ボールが領域Ｚから飛び出てしまうのを防ぐ。アクティブ柱５１の底部には、水を入れられる台座を使用することができ、実際に本考案を使用する際、水を入れられる台座に水を入れることで重量を増やすことできる。それにより、アクティブ柱５１の安定性を高めることができるとともに、携帯にも便利である。また、周囲網５０の下方には、さらに板体５２を連結させることができ、周囲網５０の安定性と風やボールを導く効果を高めることができる。それにより、ボールＰが周囲網５０端部に邪魔されることがなく、ボールが滑らかな板体５２に沿ってスムーズに風力に押される。
【００２２】
また、入口２１１外の両側には、二枚のガイド板２１２がそれぞれ設けられ、各ボールを入口２１１へ移動させるのを導くことができる。
【００２３】
また、図９から図１１は、別の種類の風力発生装置−横流ファンＡを示した図である。横流ファンＡは、前述した第一風力発生装置１１、第二風力発生装置１２、第三風力発生装置１３、及び第四風力発生装置１４に適用させることができる。横流ファンＡは風出力口Ａ１を備え、風出力口Ａ１には回転システムＡ２が連結され、回転システムＡ２によって、風出力口Ａ１から出た風の向きを調整することができる。また、回転システムＡ２は、複数のブレードＡ２１と、連結バーＡ２２と、連動バーＡ２３と、円板Ａ２４と、駆動装置Ａ２５とを備える。各ブレードＡ２１は、風出力口Ａ１に枢設される。連結バーＡ２２は各ブレードＡ２１を貫通し、その一端は連動バーＡ２３に枢設される。連動バーの他端は円板Ａ２４に枢設される。駆動装置Ａ２５は、円板Ａ２４と連結され、円板Ａ２４を回転させる。円板Ａ２４が回転した時、それに伴って連動バーＡ２３も回転し、間接的に、連結バーＡ２２が横向きの往復移動を行い、ブレードＡ２１が風出力口Ａ１に対して左右に揺れ動くことにより、風向きを調整することができる。
【００２４】
また、図１０に示すように、横流ファンＡの上方に、さらに、斜板Ａ３を連結させることができる。それにより、ボールは横流ファンＡの上方に落ちなくなり、また、斜板Ａ３上には複数の通風孔Ａ３１を設けることで、空気を進入させることができる。さらに、横流ファンＡの両側に、それぞれ遮断板Ａ４を設けることで、卓球ボールは横流ファンＡと壁の間の死角に入らなくなる。
【符号の説明】
【００２５】
１０      ボール送り装置
１１      第一風力発生装置
１１１    第一風出力口
１１２    回転システム
１２      第二風力発生装置
１３      第三風力発生装置
１４      第四風力発生装置
２０      ボール収集装置
２１      パイプ
２１１    入口
２１２    ガイド板
２２      第五風力発生装置
２２１    第五風出力口
２３      収集籠
３０      制御装置
４０      斜板
５０      周囲網
５１      アクティブ柱
５２      板体
Ｐ        ボール
Ｚ        領域
Ａ        横流ファン
Ａ１      風出力口
Ａ２      回転システム
Ａ２１    ブレード
Ａ２２    連結バー
Ａ２３    連動バー
Ａ２４    円板
Ａ２５    駆動装置
Ａ３      斜板
Ａ３１    通風孔
Ａ４      遮断板
【図１】
0003168985.tif 000003
【図２】
0003168985.tif 000004
【図３】
0003168985.tif 000005
【図４】
0003168985.tif 000006
【図５】
0003168985.tif 000007
【図６】
0003168985.tif 000008
【図７】
0003168985.tif 000009
【図８】
0003168985.tif 000010
【図９】
0003168985.tif 000011
【図１０】
0003168985.tif 000012
【図１１】
0003168985.tif 000013